(57)【要約】      （修正有） 【課題】容易に水換えや給水をできるようにした花立て容器を提供する。【解決手段】花立て容器１は、保形鉢３と、保形鉢３の内側に挿入可能に設けられて、生花が立てられる貯水可能な内鉢４とを備え、前記内鉢４は薄肉の素材によって軽量に形成され、且つ内鉢４の上部には、吊り下げ用の取手１２が設けられていることを特徴とするものである。又、花立て容器１は、保形鉢３の外周面には絵柄や模様等の化粧を施して、見栄えを良くすることも可能である。更に、花立て容器１は、保形鉢３、内鉢４は樹脂等で成形されることも可能である。又、花立て容器１は、保形鉢３の外面を化粧紙でラッピングすることも可能である。【選択図】図２
0003145039.tif 000002
【実用新案登録請求の範囲】
【請求項１】
保形鉢と、保形鉢の内側に挿入可能に設けられて、生花が立てられる貯水可能な内鉢とを備え、
前記内鉢は薄肉の素材によって軽量に形成され、且つ内鉢の上部には、吊り下げ用の取手が設けられていることを特徴とする花立て容器。
【請求項２】
前記保形鉢の外周面には、絵柄や模様等の化粧が施されて、見栄えが良くなっていることを特徴とする請求項１に記載の花立て容器。
【請求項３】
前記保形鉢、内鉢は樹脂等で成形されていることを特徴とする請求項１又は請求項２に記載の花立て容器。
【請求項４】
保形鉢の外面が化粧紙でラッピングされたことを特徴とする請求項１乃至請求項３の何れか１項に記載の花立て容器。
【考案の詳細な説明】
【技術分野】
【０００１】
本考案は花立て容器に関し、特に、容易に、水換え、又は、給水をできるようにした花立て容器に関するものである。
【背景技術】
【０００２】
植物用の鉢に関して、例えば、特許文献１が提案されている。
【０００３】
【特許文献１】特開２００８−１１９号公報
【０００４】
特許文献１には、外側の鉢内に内側の鉢を入れることで、鉢を二重構造にし、外側の鉢内に水を入れ、内側の鉢内には、外側の鉢内の水を紐又は不織布を伝って給水するようにした内容が記載されている。
【考案の開示】
【考案が解決しようとする課題】
【０００５】
しかし、特許文献１は貯水できるようにした花立て容器に関する発明ではなく、特に、容易に、水換えや給水をできるようにした発明は何ら記載されてはいない。
【０００６】
本校案は、前記背景技術の問題点に鑑みてなされたもので、その目的は、容易に水換えや給水をできるようにした花立て容器を提供することを目的とするものである。
【課題を解決するための手段】
【０００７】
請求項１に記載の花立て容器は、保形鉢と、保形鉢の内側に挿入可能に設けられて、生花が立てられる貯水可能な内鉢とを備え、前記内鉢は薄肉の素材によって軽量に形成され、且つ内鉢の上部には、吊り下げ用の取手が設けられていることを特徴とするものである。
【０００８】
請求項２に記載の花立て容器は、請求項１に記載の考案において、保形鉢の外周面には絵柄や模様等の化粧が施されて、見栄えが良くなっていることを特徴とするものである。
【０００９】
請求項３に記載の花立て容器は、請求項１又は請求項２に記載の考案において、保形鉢、内鉢は樹脂等で成形されていることを特徴とするものである。
【００１０】
請求項４に記載の花立て容器は、請求項１乃至請求項３の何れか１項に記載の考案において、保形鉢の外面を化粧紙でラッピングされたことを特徴とするものである。
【考案の効果】
【００１１】
請求項１に記載の考案によれば、内鉢が軽量に形成されているために、水換えの際に取手を持って内鉢を容易に持ち運びすることができ、しかも、内鉢は保形鉢内に挿入された状態で配置されるために、内鉢内に水を入れても、内鉢は保形鉢によって変形が阻止された状態で、内鉢としての形態が保たれる。
【００１２】
請求項２に記載の考案によれば、保形鉢の外面に化粧が施されているために、見栄えを良く、室内に配置することができる。
【００１３】
請求項３に記載の考案によれば、保形鉢、及び内鉢は樹脂等によって容易に成形されることができる。
【００１４】
請求項４に記載の考案によれば、プレゼントをする際の体裁を良くすることができる。
【考案を実施するための最良の形態】
【００１５】
図１は花立て容器１に生花２を差した状態を示す。図２は花立て容器１の分解斜視図を示す。花立て容器１は、外側の保形鉢３と、内側の内鉢４と、保形鉢３の下部を支持する支持台座５とを備えた構造である。内鉢４は外側の保形鉢３内に抜き差し自在に挿入できるように設けられている。
【００１６】
保形鉢３は、底部６と底部６から立設した筒状の側部７とから形成され、上面が開口８となった鉢状に形成される。保形鉢３とは、その形態をしっかりと維持できるように形成された鉢を意味している。保形鉢３は、例えば、厚肉の部材によって形成されることによって、その形態をしっかりと維持できるようにすることができる。保形鉢３は、例えば樹脂で成形されることができる。保形鉢３の外周には、絵柄や模様等の化粧を施すことにより見栄えを良くすることができる。
【００１７】
内鉢４は、底部９と底部９から立設した筒状の側部１０とから形成され、上面が開口１１となった鉢状に形成される。内鉢４は水を貯水できるように、例えば、樹脂によって水密に形成される。内鉢４は軽量で薄肉の部材で形成されることで、軽量に形成されることができる。内鉢４の開口１１の周縁には取手１２が設けられ、取手１２を持つことによって持ち運びできるようになっている。取手１２は内鉢４の開口１１の周縁ではなく、内鉢４の上部に設けることができる。図２に示すように、内鉢４に孔を開け、この孔に紐を挿通させることでリング状の取手１２を形成することができる。
【００１８】
前記支持台座５は、底部１３と筒状の側部１４とから形成され、保形鉢３の下部が挿入されて、保形鉢３を立った状態で支持できるようになっている。支持台座５は、例えば、竹ひごを編んで形成したり、プラスチックで成形することができる。
【００１９】
前記内鉢４内に水又は水の代わりに保水材を収容することで、生花に給水することができる。
【００２０】
又、図２に示すように、プレゼント用として用いる場合には、化粧紙Ｋでラッピングすることも可能である。
【００２１】
次に、作用について説明する。先ず、プレゼントとして用いる場合について説明する。図２に示すように、化粧紙Ｋを広げ、化粧紙Ｋの上に支持台座５を置き、支持台座５内に保形鉢３の下部を収容する。次に、保形鉢３内に内鉢４を挿入し、内鉢４内に生花２を入れる。この際、内鉢４内に水又は保水材を入れることで、生花２に水分を供給することができる。次に、図１に示すように、化粧紙Ｋで保形鉢３を包み、リボンＲを付けることで、プレゼントとしての体裁を良くする。
【００２２】
プレゼントを受け取った者は化粧紙Ｋを開き、内側の保形鉢３、内鉢４、支持台座５，生花２を取り出す。次に、内鉢４の取手１２を持って、例えば、内鉢４を水道の蛇口にまで持ち運んで、内鉢４内に水を入れる。この際、内鉢４は軽量に形成されているために、内鉢４は負担無く容易に持ち運ばれることができる。
【００２３】
次に、内鉢４を保形鉢３内に挿入する。この場合、内鉢４は薄肉で軽量に形成されているために、内鉢４内に水を入れることで内鉢４の形態が変形し易くなるが、保形鉢３が厚肉でしっかりとした形態に形成されているために、内鉢４は保形鉢３内に入れられることで内鉢４は形態が崩れることなく、しっかりとした形態に保持される。
【００２４】
尚、前記保形鉢３、又は内鉢４内に芳香剤や消臭剤を配置することで、室内の臭いや香りを良好に保つことができる。芳香剤や消臭剤は、水と一緒に用いたり、又は、ジェル状のものを用いることも可能である。
【００２５】
図３は第２実施形態を示す。この第２実施形態の特徴は、第１実施形態と比較して支持台座５を省略した点にある。保形鉢３の底面を平らに形成することによって、支持台座５を省略しても保形鉢３を自立させることができる。
【００２６】
図４は第３実施形態を示す。この第３実施形態の特徴は、保形鉢３の高さを低くし、更に取付台座５を省略した点にある。保形鉢３が保形鉢３としての本来の機能を奏することができる上に、取付台座５の機能をも果たす。
【００２７】
図５は第４実施形態を示す。この第４実施形態は取手１２の変形例を示す。前述の第１実施形態から第３実施形態においては、紐をリング状にして取手１２とした場合について説明したが、第４実施形態の取手１２は内鉢４の開口１１の周縁に突起部を設け、この突起部を手持ち可能な長さ及ぶ強さに形成することで、この突起部を取手１２として用いることができる。
【００２８】
図６乃至図８は、第５実施形態を示す。この第５実施形態の特徴は、内鉢４の開口端１１から内側へ向けて鍔１５を設けることで、内鉢４が横倒しになっても内鉢４内の水が漏れ出ないようにした点にある。又、内鉢４の外面には、内鉢４内へ入れる水量の目印となる水量線Ｓが付されることで過度に多量の水を内鉢４内へ入れないようにしている。図６は内鉢の斜視図を示し、図７は図６のＡ―Ａ断面図を示し、図８は図６の平面図を示す。
【００２９】
［実施形態の効果］
以上説明したように、内鉢４は軽量に形成されているために、内鉢４内に給水するべく、内鉢４を持ち運びする際に、内鉢４を負担無く容易に持ち運ぶことができる。又、内鉢４は軽量に形成することを意図して、内鉢４は例えば、薄肉に形成されているために、内鉢４内に水を入れることで内鉢４の形が崩れ易いという欠点があるが、内鉢４は保形鉢３内に入れられることで、その形態がしっかりと維持されることができる。更に、保形鉢３の外面に化粧を施すことで、保形鉢３を見栄え良く室内に配置することができる。
【図面の簡単な説明】
【００３０】
【図１】図１は水耕鉢の外観斜視図を示す。（第１実施形態）
【図２】図２は分解斜視図を示す。（第１実施形態）
【図３】図３は第２実施形態の分解斜視図を示す。
【図４】図４は第３実施形態の分解斜視図を示す。
【図５】図５は取手の変形例を示す図である。
【図６】図６は第５実施形態の内鉢の斜視図を示す。
【図７】図７は図６のＡーＡ断面図を示す。
【図８】図８は図６の平面図を示す。
【符号の説明】
【００３１】
１  花立て容器
２  生花
３  保形鉢
４  内鉢
５  支持台座
１２  取手
Ｋ  化粧紙
Ｒ  リボン
【図１】
0003145039.tif 000003
【図２】
0003145039.tif 000004
【図３】
0003145039.tif 000005
【図４】
0003145039.tif 000006
【図５】
0003145039.tif 000007
【図６】
0003145039.tif 000008
【図７】
0003145039.tif 000009
【図８】
0003145039.tif 000010